(57)【要約】      （修正有）【課題】製造コスト及び取り付けコストを低減するパワーチャックの空気ポンプ組立体を提供する。【解決手段】パワーチャック１３の空気ポンプ組立体は、枠と、２つの空気噴射装置とを有する。空気噴射装置は枠にしっかりと取り付けられる。各空気噴射装置はノズル２１と、弁２２とを有する。ノズルは、主体と、ピン２１２と、キャップ２１３とを有する。ピンは主体に取り付けられる。キャップは主体の遠位端部の周りに取り付けられ、ピンを囲む。弁は、パワーチャック１３に取り付けることができ、ピンに面しピンと位置合わせされ、チャンク２２１と、ボール２２２と、ボールスプリング２２３とを有する。空気噴射装置を使用して、空気ポンプ組立体は、パワーチャック１３のジョーを動かせるように、パワーチャックに空気を吹き込むことができる。【選択図】図３
0003178706.tif 000002
【実用新案登録請求の範囲】
【請求項１】
工具機械のスピンドルヘッドに取り付けることが可能なパワーチャックの空気ポンプ組立体であって、
線形に移動可能な枠と、
独立して配置され、前記枠にしっかりと取り付けられた２つの空気噴射装置と、
を備え、
各空気噴射装置は、
前記枠にしっかりと取り付けられたノズルを有し、前記ノズルは主体を有し、
前記主体は、
外管であって、
第１の開口部、
前記外管の前記第１の開口部に対向する第２の開口部、及び
内面
を有する外管と、
内管であって、
前記外管の前記内面にねじ込まれる第１の端部、
前記内管の前記第１の端部に対向し、前記外管の前記第２の開口部から突出する第２の端部、及び
内面
を有する内管と、
ピラーであって、
第１の端部及び
前記ピラーの前記第１の端部に対向し、前記外管の前記第１の開口部内に挿入され、前記外管の前記内面にねじ込まれる第２の端部
を有するピラーと、
前記主体を通して軸方向に形成されるノズル通路と、
を有し、前記ノズルは、
ピンであって、
前記内管の前記内面にねじ込まれる基部、
全機器部に軸方向に接続され、前記内管の前記第２の端部から突出するニードル部であって、前記ニードル部の外径は前記内管の内径よりも小さいニードル部、及び
前記基部を通して形成され、前記基部の軸に平行するベント
を有するピンと、
前記ノズル通路に圧縮可能に取り付けられ、前記基部及び前記ピラーに当接するピンスプリングと、
前記内管の前記第２の端部の周りに取り付けられ、遠位端部を有する弾性キャップと、
を有し、
各空気噴射装置は、前記ノズルの前記ニードル部に面し、前記ニードル部に位置合わせされた弁を有し、
前記弁は、
チャンクであって、
側部、
前記チャンクの前記側部に形成され、前記ニードル部に面し、前記キャップの前記遠位端部の形状に嵌まる形状を有するキャップ受け部、及び
前記チャンクを通して軸方向に形成される弁穴
を有するチャンクと、
前記弁穴に取り付けられ、前記キャップ受け部から部分的に突出するボールと、
前記弁穴に圧縮可能なように軸方向に取り付けられ、前記ボールが前記チャンクを押すことができる力を提供するボールスプリングと、
を有する、パワーチャックの空気ポンプ組立体。
【請求項２】
前記キャップの前記遠位端部の形状は凸形であり、前記キャップ受け部の形状は凹形である、請求項１に記載のパワーチャックの空気ポンプ組立体。
【請求項３】
前記ニードル部は前記キャップの前記遠位端部から突出する、請求項１に記載のパワーチャックの空気ポンプ組立体。
【請求項４】
前記ニードル部は前記キャップの前記遠位端部から突出する、前記請求項２に記載のパワーチャックの空気ポンプ組立体。
【考案の詳細な説明】
【技術分野】
【０００１】
１．実用新案の分野
本実用新案は、パワーチャックの空気ポンプ組立体に関し、より詳細には製造コスト及び取り付けコストを低減するパワーチャックの空気ポンプ組立体に関する。
【背景技術】
【０００２】
２．関連分野の説明
従来の工具機械は、ヘッド本体と、スピンドルと、パワーチャックと、空気ポンプ組立体とを有する。スピンドルは、ヘッド本体の側面に回転可能に水平方向に取り付けられ、遠位端部を有する。パワーチャックはスピンドルの遠位端部に取り付けられ、ワークピース又はカッターを締め付けるために使用され、チャック開口部と、チャック通路とを有する。チャック開口部は、パワーチャックの外面に形成される。チャック通路は、パワーチャック内部に形成され、チャック開口部と連通する。空気ポンプ組立体は、取り付けブラケットと、空気注入リングとを有する。空気注入リングはアルミニウムで作られ、取り付けブラケットにしっかりと取り付けられ、パワーチャックを囲む。
【０００３】
空気注入リングは空気源に接続することができ、パワーチャックに取り付けることができる。したがって、空気注入リングは、チャック開口部を介して空気をパワーチャック内に吹き込み、パワーチャックのジョーを動かす。
【０００４】
しかし、空気注入リングは、大きな体積を有する金属製構造であり、製造コストが高価である。さらに、空気注入リング内に取り付けられるゴム製シールも大きな体積を有し、成形コストを高くする。
【０００５】
加えて、空気注入リングは、パワーチャックを囲むために、取り付けブラケットを必要とする。取り付けブラケットの取り付けは不便であるとともに時間がかかり、労働力及び時間の消費を含む取り付けコストは高い。
【考案の概要】
【考案が解決しようとする課題】
【０００６】
欠点を解消するために、本実用新案は得てして、上記問題を軽減するパワーチャックの空気ポンプ組立体を提供する。
【０００７】
実用新案の概要
本実用新案の主目的は、製造コスト及び取り付けコストを低減するパワーチャックの空気ポンプ組立体を提供することである。
【課題を解決するための手段】
【０００８】
パワーチャックの空気ポンプ組立体は、枠と、２つの空気噴射装置とを有する。空気噴射装置は枠にしっかりと固定される。各空気噴射装置はノズルと、弁とを有する。ノズルは主体と、ピンと、キャップとを有する。ピンは主体に取り付けられる。キャップは、主体の遠位端部の周りに取り付けられ、ピンを囲む。弁は、パワーチャックに取り付けることができ、ピンに面してピント位置合わせされ、チャンクと、ボールと、ボールスプリングとを有する。空気噴射装置を用いて、空気ポンプ組立体は、パワーチャックのジョーが動かされるように、空気をパワーチャック内に吹き込むことができる。
【０００９】
本実用新案の他の目的、利点、及び新規特徴が、添付図面と併せて解釈される場合、以下の詳細な説明からより明白になろう。
【図面の簡単な説明】
【００１０】
【図１】空気ポンプ組立体が工具機械のスピンドルヘッドに取り付けられることを示す、本実用新案によるパワーチャックの空気ポンプ組立体の斜視図である。
【図２】図１のパワーチャックの空気ポンプ組立体の部分の拡大側面図である。
【図３】図１のパワーチャックの空気ポンプ組立体の部分の拡大分解組立斜視図である。
【図４】図１のパワーチャックの空気ポンプ組立体の部分の拡大側面図である。
【図５】図４のパワーチャックの空気ポンプ組立体の拡大動作断面側面図である。
【図６】図１のパワーチャックの空気ポンプ組立体の部分の側面図である。
【図７】図６のパワーチャックの空気ポンプ組立体の部分の動作側面図である。
【考案を実施するための形態】
【００１１】
図１〜図３を参照すると、本実用新案によるパワーチャックの空気ポンプ組立体は、工具機械のスピンドルヘッド１０に取り付けられ、２つの空気噴射装置２０を備える。
【００１２】
図１、図３、及び図６を参照すると、スピンドルヘッド１０は、ヘッド本体１１と、スピンドル１２と、パワーチャック１３と、円柱形装置１４とを有する。ヘッド本体１１は側面と、上面とを有する。スピンドル１２は、ヘッド本体１１の側面に回転可能に水平方向に取り付けられ、遠位端部を有する。パワーチャック１３は、スピンドル１２の遠位端部に取り付けられる。パワーチャック１３は円柱形であり、２つのチャック開口部１３１と、チャック通路１３２とを有する。チャック開口部１３１は、パワーチャック１３の上面に形成される。チャック通路１３２はパワーチャック１３内部に形成され、２つのチャック開口部１３１に連通する。
【００１３】
図１、図２、及び図４を参照すると、円柱形装置１４はパワーチャック１３の上に配置され、ブラケット１４１と、シリンダー１４２と、枠１４３と、ポンプマウント１４４とを有する。ブラケット１４１は、ヘッド本体１１の上面にしっかりと固定され、上部を有する。シリンダー１４２は、ブラケット１４１の上部にしっかりと縦に取り付けられ、可動式シリンダーロッドを有する。枠１４３はシリンダー１４２の下に配置され、シリンダーロッドにしっかりと接続され、シリンダー１４２により縦に移動可能である。ポンプマウント１４４はブラケット１４１の上部にしっかりと取り付けられ、２つの空気穴を有する。２つの空気穴は、ポンプマウント１４４内部に形成され、２つの空気噴射装置２０にそれぞれ接続される。
【００１４】
図２〜図４を参照すると、２つの空気噴射装置２０は独立して配置され、互いに接続されない。各空気噴射装置２０はノズル２１と、弁２２とを有する。２つのノズル２１は、枠１４３にしっかりと取り付けられる。２つの弁２２はそれぞれ、チャンク開口部１３１にしっかりと取り付けられる。
【００１５】
各ノズル２１は、主体２１１と、ピン２１２と、ピンスプリング２１３と、キャップ２１４とを有する。主体２１１は、外管２１１１と、内管２１１２と、ピラー２１１３と、ノズル通路２１１４とを有する。外管２１１１は、第１の開口部と、第２の開口部と、内面とを有する。外管２１１１の第２の開口部は、外管２１１１の第１の開口部に対向する。内管２１１２は、第１の端部と、第２の端部と、内面とを有する。内管２１１２の第１の端部は、外管２１１１の内面にしっかりとねじ込まれる。内管２１１２の第２の端部は、内管２１１２の第１の端部に対向し、外管２１１１の第２の開口部から突出する。
【００１６】
ピラー２１１３は第１の端部と、第２の端部とを有する。ピラー２１１３の第１の端部は、ポンプマウント１４４の空気穴のうちの対応する１つに連通する。ピラー２１１３の第２の端部は、ピラー２１１３の第１の端部に対向し、外管２１１１の第１の開口部内に挿入され、外管２１１１の内面にねじ込まれる。ノズル通路２１１４は、主体２１１を通して軸方向に形成される。すなわち、ノズル通路２１１４は、外管２１１１、内管２１１２、及びピラー２１１３を通して軸方向に形成される。
【００１７】
ピン２１２は、基部２１２１と、ニードル部２１２２と、複数のベント２１２３とを有する。基部２１２１は、内管２１１２の内面にねじ込まれる。ニードル部２１２１は、基部２１２１に軸方向に接続され、内管２１１２の第２の端部から突出する。ニードル部２１２２の外径は、内管２１１２の内径よりも小さい。ベント２１２３は、基部２１２１を通して形成され、基部２１２１の軸に平行する。
【００１８】
ピンスプリング２１３は、ノズル通路２１１４内に圧縮可能に取り付けられ、基部２１２１及びピラー２１１３に当接する。
【００１９】
キャップ２１４は弾性を有し、内管２１１２の第２の端部の周りに取り付けられ、遠位端部を有する。好ましくは、ニードル部２１２２はキャップ２１４の遠位端部から突出する。
【００２０】
弁２２は、ノズル２１のニードル部２１２２に面してニードル部２１２２に位置合わせされ、チャンク２２１と、ボール２２２と、ボールスプリング２２３とを有する。チャンク２２１は、側部と、キャップ受け部２２１１と、弁穴２２１２とを有する。キャップ受け部２２１１は、チャンク２２１の側面に形成され、ニードル部２１２２に面し、キャップ２１４の遠位端部の形状に嵌まる形状を有する。弁穴２２１２は、チャンク２２１を通して軸方向に形成される。ボール２２２は弁穴２２１２内に取り付けられ、キャップ受け部２２１１から部分的に突出する。ボールスプリング２２３は、弁穴２２１２内に圧縮可能なように軸方向に取り付けられ、ボール２２２及びパワーチャック１３を押し、ボール２２２がチャンク２２１を押すことができる力を提供する。好ましくは、キャップ２１４の遠位端部の形状は凸形であり、キャップ受け部２２１１の形状は凹形である。
【００２１】
図４及び図５を参照すると、ノズル２１のうちの一方は空気をパワーチャック１３に吹き込み、ノズル２１のうちの他方は、パワーチャック１３のジョーを動かすことができるように、パワーチャック１３から空気を吹き出す。
【００２２】
パワーチャック１３に空気を吹き込むノズル２１を例とすると、ポンプマウント１４４は少なくとも１つの空気源に接続され、スピンドル１２は回転を停止する。枠１４３及びノズル２１は、シリンダー１４２により弁２２に向かって動かされる。
【００２３】
キャップ２１４がチャンク２２１のキャップ受け部２２１１に当接すると、ニードル部２１２２はボール２２２を下方に押す。したがって、ボール２２２は降下し、ボールスプリング２２３が圧縮される。その間、ニードル部２１２２もボール２２２及びボールスプリング２２３により押される。したがって、ニードル部２１２２及びボール部２１２１は上昇し、ピンスプリング２１３が圧縮される。
【００２４】
空気源は、ノズル通路２１１４、ニードル部２１２２と内管２１１２との間のギャップ、ボール２２２と弁穴２１２２との間のギャップ、チャンク開口部１３１、そして最終的にチャンク通路１３２をこの順番で経由してパワーチャック１３に空気を吹き込む。
【００２５】
パワーチャック１３から空気を吹き出すノズル２１の動作は、パワーチャック１３に空気を吹き込むノズル２１の動作と略同じであるが、ノズル２１の空気を吹く方向は、他方のノズル２１の方向とは逆である。
【００２６】
図６及び図７を参照すると、空気はチャンク通路１３２内を流れ、空気圧によりパワーチャック１３のジョーを動かす。次に、ノズル２１は上昇して弁２２から外れ、空気注入プロセスが終了する。
【００２７】
さらに、空気ポンプ組立体は別の種類のパワーチャック１３に適用することもでき、両ノズル２１は、パワーチャック１３に空気を吹き込んで、パワーチャック１３のジョーを動かすことができる。
【００２８】
上記説明から、本実用新案が以下の利点を有することに留意する。
【００２９】
１．コストの低減
空気噴射装置２０の製造が容易で好都合である。したがって、本実用新案による空気ポンプ組立体の製造コストは安価である。加えて、空気ポンプ組立体の取り付けも高速で好都合である。したがって、労働力及び時間の消費が少なく、空気ポンプ組立体の製造コストが低減する。
【００３０】
２．良好な空密効果
キャップ２１４の凸形遠位端部及び凹形キャップ受け部２２１１の使用により、キャップ２１４とキャップ受け部２２１１との接触面積が、接触面積が大きく、空気漏れを効率的に回避することができるように増大する。
【００３１】
ニードル部２１２２がキャップ２１４の遠位端部から突出するため、ニードル部２１２２は、キャップ２１４がキャップ受け部２２１１に当接する前にボール２２２を押す。したがって、キャップ２１４はキャップ受け部２２１１により大きく変形せず、キャップ２１４とキャップ受け部２２１１との間のギャップが回避される。
【００３２】
本実用新案の多くの特徴及び利点を、本実用新案の構造及び機能の詳細と共に上記説明において説明したが、本開示は単なる例示であり、添付の実用新案登録請求の範囲が表現される用途の広義の意味により示される全範囲まで、本実用新案の原理内で詳細、特に部品の形状、サイズ、及び配置に関して変更を行い得る。
【図１】
0003178706.tif 000003
【図２】
0003178706.tif 000004
【図３】
0003178706.tif 000005
【図４】
0003178706.tif 000006
【図５】
0003178706.tif 000007
【図６】
0003178706.tif 000008
【図７】
0003178706.tif 000009